(57)【特許請求の範囲】
【請求項１】
少なくとも一個の電池からなる電源部；該電源部にオン／オフ可能に接続し、発信器に一定電圧の電流を供給する定電圧装置；該電源部と該定電圧装置とに接続し、該定電圧装置により一定電圧とされた電圧を基準として、電源部の電圧を計測する電圧計測器；該電源部に接続し、複数組のデジタル信号出力パターンを記録しているメモリ；該電源部、該電圧計測器及び該メモリに接続し、該メモリに記録されている複数組のデジタル信号出力パターンから、該電圧計測器で測定した電源部の電圧に対応するデジタル信号パターンを読み出してデジタル信号を発生させる制御器；該制御器に接続し、該制御器にて発生したデジタル信号をアナログ信号に変換するＤ／Ａ変換器；そして、該Ｄ／Ａ変換器に接続していて、基準信号を発信して、該Ｄ／Ａ変換器から送られたアナログ信号と該規準信号とを結合させて変調信号を出力する発信器；該発信器から変調信号を受け取り、変調信号に対応する電波を送信する送信用アンテナから構成されてなる電池を電源として用いた無線送信機。
【発明の詳細な説明】
【０００１】
【発明の属する技術分野】
本発明は、電波式遠隔制御装置に好適に使用できる無線送信機に関し、さらに詳しくは、電池を電源として用いた無線送信機に関するものである。
【０００２】
【従来の技術】
例えば、扉（例、シャッター）の開閉、機械装置の始動停止を遠隔地から制御する遠隔制御装置には、制御対象である機械装置に指令信号を、電波を利用して送信する電波式遠隔制御装置、赤外光などの光を利用して送信する光線式遠隔制御装置、超音波を利用して送信する超音波式遠隔制御装置などが知られている。この中でも電波式遠隔制御装置は他の無線式遠隔制御装置と比較して、遮蔽物などによる影響が少なく、比較的長い距離の範囲において指令信号を送信できる点で有利である。
【０００３】
電波式遠隔制御装置において、制御対象となる機械装置に指令信号の送信する方式には、振幅変調方式、周波数変調方式が知られているが、一般に周波数の異なる指令信号と基準信号（搬送信号）と結合させた（基準信号を変調させた）変調信号を制御対象となる機械装置に送信する周波数変調方式が広く利用されている。
【０００４】
添付図面の図４は、代表的な従来の周波数変調方式の無線送信機の全体構成を表すブロック図である。
電源部１に、スイッチ３を介してオン／オフ可能に接続している定電圧装置（電源レギュレータ、電圧調整器ともいう）２ａは、電源部で発生した電流を一定の電圧に調整して、発信器８に供給する。また、電源部１に常時接続している定電圧装置２ｂは、電源部で発生した電流の電圧を一定の電圧に調整して、制御器４、メモリ５を内蔵する演算処理装置６ｂに供給する。
【０００５】
制御器４は、スイッチ３のオン／オフを制御して、図示しない外部スイッチが押された時に、スイッチ３をオン状態にする。スイッチ３がオン状態となると、定電圧装置２ａから一定の電圧に調整された電流が発信器８に供給されて、発信器８は基準信号を発信する。次いで、制御器４は、メモリ５に記録されている、制御対象である機械装置の識別記号と指令信号とをデジタル符号化したデジタル信号出力パターンに従って、演算処理装置の出力端子からデジタル信号をＤ／Ａ変換器に出力する。
【０００６】
Ｄ／Ａ変換器７は、デジタル信号をアナログ信号に変換してアナログ信号を発信器８に供給する。発信器８は、Ｄ／Ａ変換器から送られたアナログ信号と規準信号とを結合させて、送信用アンテナ９に変調信号を出力する。送信用アンテナ９は、変調信号を受け取り、変調信号に対応する電波を送信する。
【０００７】
図４に示したような従来の無線送信機では、規準信号と指令信号であるアナログ信号とが、定電圧装置により一定電圧に調整された電流に基づいて、発信していることから、一定の振幅強度を持った安定な変調信号を制御対象となる機械装置に送信することができる。
【０００８】
一方、遠隔制御装置に用いられる無線送信機は、携帯の容易な小型形状であることが好ましく、かつ製造コストの観点から部品個数は少ないことが望ましい。しかしながら、従来の無線送信機では、定電圧装置を二個必要とすることから、その形状を小型にすることが難しいという問題がある。
【０００９】
無線送信機の形状を小型にし、かつ部品個数を少なくする方法として、定電圧装置を一個にして、定電圧装置から発生する一定電圧の電流を発信器と演算処理装置とに供給する方法が考えられる。しかし、この場合には、常に発信器に電流が供給されるため、電池の消耗が早くなり実用上不都合が生じるという問題がある。
【００１０】
【発明が解決しようとする課題】
本発明は、電池を電源として用いた無線送信機であって、電池の消耗を早めるなどの実用上不都合が生じないように、部品個数を削減し、かつ安定な変調信号を送信することができる無線送信機を提供することを目的とする。
【００１１】
【課題を解決するための手段】
本発明は、少なくとも一個の電池からなる電源部；該電源部にオン／オフ可能に接続し、発信器に一定電圧の電流を供給する定電圧装置；該電源部と該定電圧装置とに接続し、該定電圧装置により一定電圧とされた電圧を基準として、電源部の電圧を計測する電圧計測器；該電源部に接続し、複数組のデジタル信号出力パターンを記録しているメモリ；該電源部、該電圧計測器及び該メモリに接続し、該メモリに記録されている複数組のデジタル信号出力パターンから、該電圧計測器で測定した電源部の電圧に対応するデジタル信号パターンを読み出してデジタル信号を発生させる制御器；該制御器に接続し、該制御器にて発生したデジタル信号をアナログ信号に変換するＤ／Ａ変換器；そして、該Ｄ／Ａ変換器に接続していて、基準信号を発信して、該Ｄ／Ａ変換器から送られたアナログ信号と該規準信号とを結合させて変調信号を出力する発信器；該発信器から変調信号を受け取り、変調信号に対応する電波を送信する送信用アンテナから構成されてなる電池を電源として用いた無線送信機にある。
【００１２】
本発明の無線送信機において、電源部から供給される電流の電圧は、１．８〜３．４Ｖの範囲内にあることが好ましい。電源部に好適に用いることができる電池としては、コイン型リチウム一次電池を挙げることができるがこれに限定されるものではない。
【００１３】
本発明の無線送信機において、電圧計測器、制御器、メモリは一個の演算処理装置に内蔵されていることが好ましい。本発明の無線送信機に好適に用いることができる演算処理装置としては日本電気（株）製μＰＤ７５４２４４を挙げることができるがこれに限定されるものではない。
【００１４】
本発明の無線送信機において、発信器から発信される規準信号の周波数は４２６ＭＨｚであり、Ｄ／Ａ変換器から送られるアナログ信号の周波数は１２００Ｈｚであることが好ましい。
【００１５】
【発明の実施の形態】
添付図面の図１は、本発明の無線送信機の一実施例の全体構成を示すブロック図である。
【００１６】
電源部１にスイッチ３を介してオン／オフ可能に接続している定電圧装置２は、電源部で発生した電流の電圧を一定の電圧（例えば、２Ｖ）に調整する。この定電圧装置２で調整された一定電圧の電流は、発信器８と演算処理装置６ａに内蔵されている電圧計測器１０に供給される。一方、電源部１に常時接続している演算処理装置６ａに内蔵されている電圧計測器１０、制御器４、メモリ５には、それぞれ電源部から発生した一定の電圧に調整されていない電流が供給されている。なお、スイッチ３は、図４に示した無線送信機の場合と同様に、制御器４によりオン／オフを制御されている。
【００１７】
電圧計測器１０は、定電圧装置２から供給された（一定電圧に調整された）電流と、電源部１から供給された（一定電圧に調整されていない）電流とをそれぞれデジタル信号に変換して、電源部１から供給された電流の電圧（すなわち、電源部の電圧）を計測する。そして、その計測値を、制御器４に出力する。
【００１８】
メモリ５は、制御対象である機械装置の識別番号と指令信号とをデジタル符号にした一組のデジタル信号出力パターンが、その振幅強度を変えて６組（レベル１〜６）記録されている。
【００１９】
制御器４は、メモリに記録されている６組のデジタル信号出力パターンのうち、電圧計測器から送られた電源部の電圧に対応する振幅強度をもつ一組のデジタル信号パターンを読み出して、Ｄ／Ａ変換器７に出力する。これにより、制御器に供給される電流の電圧の変化によるデジタル信号の出力の変動を抑えることができる。
【００２０】
Ｄ／Ａ変換器７、発信器８、送信用アンテナ９は、図４に示した従来の無線送信機の場合と同様である。具体的には、Ｄ／Ａ変換器は、抵抗を組み合わせたはしご型Ｄ／Ａ変換器（抵抗ラダーともいう）を用いることができる。また、発信器は、１個のトランジスタと水晶振動子とから構成されるコルピッツ発信回路を用いることができる。
【００２１】
次に、この実施例における指令信号の送信手順について添付図面の図２及び図３を参照しながら説明する。図２は、本発明にかかる指令信号送信までの手順を表すフロー図であり、図３は、制御器が電源部の電圧に対応するデジタル信号パターンを読み出す手順を表したフロー図である。
【００２２】
外部スイッチが押されることにより、送信操作が開始される（Ｓ０）。制御器４はスィッチ３をオン状態をする。これにより、定電圧装置が作動して、電源部１から定電圧装置２に電流が供給される（Ｓ１）。そして、定電圧装置により発生した一定電圧の電流が供給された発信器８は、基準信号を発信する（Ｓ２）。
【００２３】
定電圧装置２により発生した一定電圧の電流は、電圧測定器１０にも供給される。そして、電圧測定器１０はその電圧値を規準にして電源部の電圧を計測する（Ｓ３）。制御器４は、図３に示されているように、電圧測定器１０が計測した電源部の電圧が、判断基準となる電圧より高いか否かを判断し、レベル１〜６のうち一組のデジタル信号出力パターンをメモリ５から読み出す（Ｓ４）。
【００２４】
制御器４が、メモリから読み出した一組のデジタル信号出力パターンは、Ｄ／Ａ変換器７で、デジタル信号からアナログ信号に変換される（Ｓ５）。このアナログ信号は発信器に送られ、発信器８は、Ｓ２で発信した基準信号とアナログ信号とを結合させて変調信号を出力する（Ｓ６）。送信用アンテナ９は変調信号を受け取り、変調信号に対応する電波を制御対象である機械装置に送信する（Ｓ７）。
【００２５】
【発明の効果】
本発明の電池を電源として用いた無線送信機は、電源部の電圧に対応した振幅強度のデジタル信号出力パターン（デジタル指令信号）をアナログ化したアナログ信号（アナログ指令信号）を基準信号に結合させて送信するので、安定な指令信号を送信することができる。従って、本発明の無線送信機は、扉（例、シャッター）の開閉、機械装置（例、エンジン）の始動停止などを遠隔地から制御する電波式遠隔制御装置の指令信号送信機として好適に使用することができる。また、本発明の無線送信機では、定電圧装置が一個であることから、従来の無線送信機と比較すると部品個数が削減され、小型化が図られるととも、製造コストが工業的に有利になる。
【図面の簡単な説明】
【図１】本発明の無線送信機の一実施例の全体構成を示すブロック図である。
【図２】本発明の無線送信機における指令信号送信までの手順を表すフロー図である。
【図３】本発明の無線送信機における制御器が電源部の電圧に対応するデジタル信号パターンを読み出す手順を表したフロー図である。
【図４】従来の代表的な無線送信機の全体構成を示すブロック図である。
【符号の説明】
１  電源部
２、２ａ、２ｂ  定電圧装置
３  スイッチ
４  制御器
５  メモリ
６ａ、６ｂ  演算処理装置
７  Ｄ／Ａ変換器
８  発信器
９  アンテナ
１０  電圧計測器
【図１】
0004267164.tif 000002
【図２】
0004267164.tif 000003
【図３】
0004267164.tif 000004
【図４】
0004267164.tif 000005